(57)【要約】【課題】老眼鏡は生活し易いように通常は外している、しかし、新聞を読む、本を読む、壁に掛けてあるカレンダー、計画表、などを見る、これらの際は老眼鏡がなくしては読むことができない。  従って、老眼鏡は常に身に付けて携行している必要がある。【解決手段】本発明の特徴は、眼鏡ケースと歩数計を一体化し、眼鏡ケースを常に携行することで、眼鏡が必要な際、直ぐに使用できると同時に、歩数計により、一日間、あるいは、一ヵ月間の累計の表示により、何歩 歩いたかを一目で確認できるようにしたものであり、健康管理など（高齢者などの歩く運動の手助け) にも役に立つ。  高齢になると老眼鏡の置き忘れや紛失も多くなる、しかし、本発明により、眼鏡ケースを常時携行しているので、眼鏡の置き忘れや紛失も防ぐことができる。【選択図】  図１
2008307395.tif 000002
【特許請求の範囲】
【請求項１】
歩数計付き、老眼鏡、眼鏡、サングラスなどの携行用眼鏡ケースであって、  
（イ）眼鏡を入れるケースの部分と、歩数計の部分とを併せ持つ手段と、
（ロ）携行のため、眼鏡ケースを、着衣に装着、首からぶら提げる、ズボンのベルトに装着、の各方法を掌る手段と、
（ハ）眼鏡ケースは、縦方向、横方向のどちらにも携行できる手段と、
（ニ）眼鏡が、眼鏡ケースから容易に落ちないように、保護する手段と、
を、含むことを特徴とする、歩数計付き、老眼鏡、眼鏡、サングラスなどの携行用眼鏡ケース。
【請求項２】
請求項１に示す、歩数計付き、老眼鏡、眼鏡、サングラスなどの携行用眼鏡ケースであって、
（イ）携行用眼鏡ケースと併設の歩数計は、歩いた歩数を自動的に、一日間、及び、一ヵ月間の累計を別々に表示する手段と、
（ロ）歩数計の、一日間、及び、一ヵ月間の累計の積算を個々にゼロに戻す手段と、
（ハ）歩数計の一日計のみ、数時間使用しないと積算が自動的にゼロに戻る手段と、
（ニ）歩数計には電池を使用し、電源をON、OFF、する手段と、
（ホ）電源をOFFにしても、歩数計の累計歩数はゼロに戻らず、表示画面のみ消える手段と、
（へ）眼鏡ケースの携行を、縦方向、横方向に、それぞれ変える際、歩数計はそれに合わせ、一日計、及び、一ヵ月計、それぞれ別々に９０度回転できる手段と、
（ト）一日計、及び、一ヵ月計の両方全体を開閉可能なカバーで覆う手段と、
を、含むことを特徴とする、請求項１に示す、歩数計付き、老眼鏡、眼鏡、サングラスなどの携行用眼鏡ケース。
【発明の詳細な説明】
【技術分野】
【０００１】
本発明は、歩数計付き携行用眼鏡ケースに関するものである。
【背景技術】
【０００２】
老眼鏡は常に掛けているものではない、読む以外に老眼鏡を掛けていると、かえって見え難く生活し難いものである。  従って、必要な際、直ぐに使用できるように、老眼鏡は常に携行していることが便利なのである。  
【特許文献１】特開２００８−７７０２０
【特許文献２】特開２００８−６１３５
【特許文献３】特開２００７−１９５８９３  上記の特許文献には、眼鏡の携行方法、保管方法などが示されているが、ただ、眼鏡を携行する、あるいは机上に置く方法を示しているにすぎない。  従って、本発明の趣旨とは大きく異なる内容である。  本発明の特徴は健康グッズを併用しての眼鏡の携行方法であり、この種の眼鏡ケースは、新しい発想である。
【発明の開示】
【発明が解決しようとする課題】
【０００３】
老眼鏡は生活し易いように通常は外している、しかし、新聞を読む、本を読む、壁に掛けてあるカレンダー、計画表、などを見る、これらの際は老眼鏡がなくしては読むことができない。  従って、老眼鏡は常に身に付けて携行している必要がある。
【０００４】
本発明は、老眼鏡などが必要な際、直ぐに使用できるように、常に身に付けておくことを目的に工夫したものである。  
【課題を解決するための手段】
【０００５】
（イ）本発明は、上記の目的を達成するために、眼鏡ケースを身に付けて携行するための手段として、安全ピン、または、クリップなどで、眼鏡ケースを着衣に装着するようにした。
（ロ）眼鏡ケースを身に付けて携行するための手段として、磁気ネックレスなどにより、首からぶら提げるようにした。
（ハ）眼鏡ケースを身に付けて携行するための手段として、ズボンのベルトに装着するようにした。
（ニ）本発明の特徴は、眼鏡ケースと歩数計を一体化し、携行することで、老眼鏡が必要な際、直ぐに使用できると同時に、歩数計により、一日間、あるいは、一ヵ月間の累計の表示により、何歩 歩いたかを一目で確認できるようにした。
（ホ）勿論、老眼鏡以外の眼鏡、サングラス、などの携行にも使用できる。
【発明の効果】
【０００６】
（イ）老眼鏡や眼鏡を常に携行することにより、必要時、直ぐに使用できる。
（ロ）本発明の眼鏡ケースは、歩数計の部分を併せ持っているので、眼鏡の携行と、更には、歩いた歩数を管理することにより健康増進に効果が大きい。 （加齢と共に激しい運動はできないが、健康維持のため、歩く運動を心掛ける手助けをする）
（ハ）歩数計の表示は、一日間、更には、一ヵ月間の累計の両方が表示されることにより、長期の健康管理に効果がある。
（ニ）本発明の、歩数計付き眼鏡ケースを、健康グッズの一部として常に携行することで、老眼鏡などの置き忘れや紛失を防ぐ効果が非常に大きい。
（ホ）本発明の眼鏡ケースは、着衣への装着位置と、更に、眼鏡ケースを縦方向、横方向に装着方法を工夫することにより、ファッション的にも楽しめる効果がある。
（へ）磁気ネックレスなどにより、本発明の眼鏡ケースを首からぶら提げて携行することにより、健康増進、ファッション的にも楽しめる効果がある。                              
【発明を実施するための最良の形態】
【０００７】
以下、本発明の実施の形態を、図１〜図３に基づき説明する。
【０００８】
（イ）眼鏡ケース１は、図１、図２、及び、図３に示すように、眼鏡を入れる部分である。
（ロ）眼鏡ケース１の携行は、保持部１０の部分により安全ピン、クリップなどを用いて着衣（体の前面、あるいは、腕）に装着する。
（ハ）眼鏡ケース１の携行は、保持部１０の部分により磁気ネックレスなどで首からぶら提げる。
（ニ）眼鏡ケース１の携行は、保持部１０の部分によりズボンのベルトに装着する。
（ホ）眼鏡ケース１の携行は、使用者の好みにより、図１、及び、図２、のように縦方向と、図３のように横方向に携行できる。
（へ）眼鏡が、眼鏡ケース１から容易に落ちないように、保護部１１を設けている。
【０００９】
（イ）眼鏡ケース１の外側には、歩数計２（一日計）、及び、歩数計６（一ヵ月計）、が、図１、図２、及び、図３、に示すように併設されている。
（ロ）歩数計２は、一日の歩数を表示。  歩数計６は、一ヵ月間の累計歩数を表示。  この２種類の歩数計は、歩くことで自動的にそれぞれの歩数を表示し、両方が、図１、及び、図３に示すように同時に見られるようになっている。  
（ハ）歩数計の積算をゼロに戻すボタン４（一日計用）、及び、積算をゼロに戻すボタン８（一ヵ月計用）が、それぞれ設置されている。  但し、一日計は数時間使用しないと、自動的に積算がゼロに戻る工夫も施している。
（ニ）歩数計の電源をON、OFF、する電源スイッチ５（一日計用）、及び、電源スイッチ９（一ヵ月計用）、が設置されている。
（ホ）電源をOFFにしても歩数計の累計歩数はゼロに戻らないよう考慮し、表示画面のみ消える手段を用いている。
（へ）本発明の眼鏡ケース１を、使用者の好みで任意の位置（体の前面、腕、ズボンのベルト）に装着したり、磁気ネックレスなどで首からぶら提げる。  更には、眼鏡ケース１の装着を、縦方向、横方向、を選ぶことができ、ファッション的にも楽しめる工夫を施している。
（ト）眼鏡ケース１の装着を、縦方向、横方向、を選ぶ際、同時に歩数計２、及び、歩数計６を、眼鏡ケース１の方向に合わせ９０度回転させ、常に歩数計の表示を正方向になるよう工夫を施している。
（チ）歩数計２、及び、歩数計６、の両方全体を、カバー１２で覆い、歩数計の保護と、更に、カバー１２に、挿絵や模様を描く、シールを貼る、または、眼鏡ケース１やカバー１２に、ストラップなどを効果的に使用し、ファッション性も楽しめる。
（リ）カバー１２は、開閉可能な構造になっている。
【図面の簡単な説明】
【００１０】
【図１】本発明の眼鏡ケースと歩数計を、縦方向の正面から見た図である。
【図２】本発明の眼鏡ケースと歩数計を、縦方向の側面から見た図である。
【図３】本発明の眼鏡ケースと歩数計を、横方向の正面から見た図である。
【符号の説明】
【００１１】
１  眼鏡ケース  
２  歩数計（一日計）
３  一日計の表示部
４  一日計の積算をゼロに戻すボタン
５  一日計の電源スイッチ
６  歩数計（一ヵ月計）
７  一ヵ月間の累計の表示部
８  一ヵ月計の積算をゼロに戻すボタン
９  一ヵ月計の電源スイッチ
10  眼鏡ケースを、着衣に装着する、首からぶら提げる、ズボンのベルトに装着する、の各手段を掌る部
11  眼鏡が眼鏡ケースから容易に落ちないようにする保護部
12  歩数計（一日計）、及び、歩数計（一ヵ月計）の両方を同時に保護する開閉可能なカバー
【図１】
2008307395.tif 000003
【図２】
2008307395.tif 000004
【図３】
2008307395.tif 000005